(57)【要約】【課題】作成が容易で、光ディスク装置での検査も容易な検査調整用光ディスクと、それを用いた光ディスク装置の検査調整方法を提供する。【解決手段】検査調整用光ディスク１に記録された信号記録領域（Ａ１）3から（Ａｎ）6までのうち、検査に最適の信号状態のものを選び，その信号記録領域のアドレス情報、またはアドレス情報と記録状態情報を情報記録領域２に記録することで、検査調整用光ディスクの作成を容易にし、また検査調整時に信号記録領域３〜６のうち検査信号として最適な信号状態を容易に選ぶことができる。【選択図】図１
2006228302.tif 000002
【特許請求の範囲】
【請求項１】
記録されている信号を用いて光ディスク装置の検査、調整を行うための検査調整用ディスクであって、
それぞれ異なった記録条件で信号を記録した複数の検査信号記録領域と、
前記複数の検査信号記録領域の中から最適信号記録状態のものを選び、選ばれた信号記録領域のアドレス情報、またはアドレス情報と記録状態情報を記録した情報記録領域とを備えたことを特徴とする検査調整用光ディスク。
【請求項２】
前記情報記録領域が前記信号記録領域の内周側に記録されていることを特徴とする請求項１記載の検査調整用光ディスク。
【請求項３】
前記情報記録領域を複数個持つことを特徴とする請求項１記載の検査調整用光ディスク。
【請求項４】
請求項１から3の検査調整用光ディスクを用いる光ディスクの検査調整方法であって、
前記検査調整用光ディスクの情報記録領域から検査信号領域のアドレス情報のみ、または検査信号記録領域のアドレス情報と記録状態情報とを得ることを特徴とする光ディスク装置の検査調整方法。
【発明の詳細な説明】
【技術分野】
【０００１】
本発明は、DVD−RAM、Ｂｌｕ−ｒａｙ等の光ディスク装置の検査調整に用いる検査調整用光ディスクとその検査調整方法に関するものである。
【背景技術】
【０００２】
近年Ｂｌｕ−ｒａｙ光ディスク装置のように高密度記録ディスクを用いハイビジョン映像を2時間録画再生出来る技術が出てきている。このような高密度記録ではディスクに書かれるデータービット長の最小長は0.16ummにもなり  CDの最小長0.9umm、DVD−RAMの0.24ummに比べ非常に小さいものになってきている。
【０００３】
このような微小ビット長信号を機器間の互換性を保ちながら再生するためには、再生イコライザ（ディスク上に書かれた高い周波数信号を持ち上げる回路，以下EQ）の特性の調整検査、記録学習で調整されたレーザーパワー等が非常に重要な要素となり、その検査調整を行う検査調整用光ディスクが必要となる。また再生EQ特性の調整を行う際には検査調整用光ディスクに記録された信号を基に調整されるため、書かれている信号のデータービット（以降マークと言う）の長さ、幅、間隔を厳しく管理された高精度検査調整用光ディスクが必要となる。
【０００４】
しかしマーク長が微小なためディスクの記録感度特性ばらつきが大きく影響し、同じ記録条件（レザーパワー等）で記録してもマーク長のばらつきが大きく出てしまうという問題があり検査調整用光ディスクの作成を困難にしている。
【０００５】
従来の検査調整用光ディスクとしては、例えば特許文献１参照のようなものが知られている。特許文献１では、あらかじめ決められた複数のアドレス（記録領域）に反射光強度がそれぞれ異なるデータが記録されている検査用ディスクについて述べられている。
【０００６】
図５は従来の例1としての特許文献１の検査調整用光ディスクの構成図である。図５の検査調整用光ディスク５１で、検査信号記録領域５２は特許文献１の複数の記録領域にあたる。
【０００７】
図６は、特許文献１には記載されていないが、従来の例１において検査調整用光ディスクを作成する場合に考えられる手順のフローチャートである。
【０００８】
以下，図６の手順フローチャートを説明する。
【０００９】
（１）  信号記録条件を決定するための検討用ディスクを準備し（Ｓ６１１）ａ＝１を設定する（Ｓ６１２）。
【００１０】
（２）検討用ディスクに、ある信号記録条件を設定し（Ｓ６１３）、記録する（Ｓ６１４）。
【００１１】
（３）記録された信号を再生して（Ｓ６１５）信号特性を評価する（Ｓ６１６）。
【００１２】
（４）評価結果がNGの場合
次の異なった信号記録条件にて記録し、信号を再生し評価することを繰り返す（Ｓ６１７〜Ｓ６１６）。
【００１３】
（５）評価結果がOKの場合
ＯＫになった信号記録条件を信号記録条件と決定し（Ｓ６１８）、ｂ＝１を設定する（Ｓ６１９）。
【００１４】
（６）検査調整用光ディスクを作成するためのディスクを準備する（Ｓ６２０）。
【００１５】
この目的は記録信号をオーバーライト（重ね書き）したときに発生する、マーク特性の変化、消し残り等の不要信号を避けるために行われる。
【００１６】
（７）決められた指定アドレスに決定された信号記録条件で記録する（Ｓ６２１）。
【００１７】
（８）記録された信号を再生し（Ｓ６２２）、信号特性を評価する（Ｓ６２３）。
【００１８】
（９）評価結果がNGの場合。
【００１９】
検査調整用光ディスクを交換して決定信号記録条件にて記録、再生、評価を繰り返す（Ｓ６２４〜Ｓ６２３）。ある程度ディスクを交換してもOKにならない場合は（１）（Ｓ６１１）からやり直しをする。
【００２０】
（１０）評価結果がOKの場合。
【００２１】
検査調整用ディスクが出来上がり、作成終了となる。
【００２２】
の手順を踏む必要がある。
【００２３】
しかし、Ｂｌｕ−ｒａｙディスクのような微小マーク長ではディスクの記録感度特性ばらつきの影響を受けやすく、指定アドレスに高精度検査信号を記録することが難しくなってきている。
【００２４】
図７は従来の例２のMDディスク等の検査調整用光ディスクの構成図である。図７の検査調整用光ディスク７１は、第１の検査用信号を記録している第１の検査信号記録領域７４、第2の検査用信号を記録している第２の検査信号記録領域７５、第１、第２の検査信号記録領域７４、７５のそれぞれのトラック番号とそれぞれのアドレス情報が記録されているユーザー情報記録領域７３を有する。
【００２５】
ユーザー情報記録領域７３に記録されているトラック番号とアドレス情報は一対になっておりトラック番号を指定することでそのアドレス領域の検査信号を再生することができる。
【００２６】
しかしユーザー情報記録領域７３の情報で任意の記録領域を再生するのには、トラック番号でしか指定できず、アドレス情報のみで任意の記録領域を再生することはできない。従って、最適信号記録状態を複数の信号記録条件で記録した記録領域から探しだすようにすると、記録領域数に合った複数のトラック番号が発生し、最適信号記録状態の記録領域のアドレスすなわちトラック番号を固定することが困難になるという問題を持っている。
【００２７】
図８は従来の例１の検査調整用光ディスクを用い光ディスク装置で検査調整する方法の手順を示すフローチャート図である。図８の検査調整方法の手順を説明する。
（１）検査調整アドレス設定（Ｓ８１１）。
【００２８】
あらかじめ決められた検査アドレスを光ディスク装置に設定する。
（２）検査調整開始（Ｓ８１２）。
（３）検査調整用ディスク装着（Ｓ８１３）。
（４）検査調整アドレス指定（Ｓ８１４）。
【００２９】
（１）で設定されたアドレスを指定する。
（５）検査調整用信号再生（Ｓ８１５）。
（６）評価（Ｓ８１６）。
【００３０】
評価結果OKの場合良品とする（Ｓ８１７）。評価結果NGの場合不良品とする（Ｓ８１８）。
（７）検査調整終了。
【００３１】
の手順で行われる。ここで検査調整アドレスはあらかじめ決められた固定アドレスのため、検査調整光ディスクの検査信号記録領域のアドレスは固定する必要がある。また検査調整光ディスクの検査信号記録領域のアドレスが固定できないような場合で、検査調整光ディスクを何らかの影響で劣化したため交換するときには、図８の検査調整アドレス設定を変更する必要が生じる。
【特許文献１】特開平６−１５０３８７号公報（図１）
【発明の開示】
【発明が解決しようとする課題】
【００３２】
このような検査調整用光ディスク及びそれを用いた光ディスク装置の検査方法においては、特に高密度記録ディスクを使用した機器間の再生、記録互換を確実なものにするための高精度検査調整用光ディスクが要求されている。また検査調整用光ディスクが相変化記録ディスクの場合は再生レーザーパワーで再生していても記録信号特性は劣化（再生光劣化）しやすく、検査調整用ディスクを定期的に交換していかねばならない。このような高精度検査調整用光ディスクの作成方法と、定期的交換をも考慮した光ディスク装置の検査方法が要求されている。
【００３３】
本発明は、高精度検査調整用ディスクの作成を容易にすることと、定期的に高精度検査調整用光ディスクを交換しても光ディスク装置で容易に検査できる方法を提供することを目的としてなされたものである。
【課題を解決するための手段】
【００３４】
上記課題に対応するために本発明の検査調整用光ディスクは、記録されている信号を用いて光ディスク装置の検査、調整を行うための検査調整用ディスクであって、それぞれ異なった記録条件で信号を記録した複数の検査信号記録領域と、その複数の検査信号記録領域の中から最適信号状態のものを選び、選ばれた信号記録領域のアドレス情報、またはアドレス情報と記録状態情報を記録した情報記録領域とを持つように構成したものである。
【００３５】
また、上記課題に対応するために本発明の検査調整用光ディスクを用いた光ディスク装置の検査方法は、上記の検査調整用光ディスクを用いる光ディスクの検査方法であって、前記検査調整用光ディスクの情報記録領域から検査信号領域のアドレス情報のみ，または検査信号記録領域のアドレス情報と記録状態情報とを読み出すようにしたものである。
【発明の効果】
【００３６】
本発明は、上記の構成により、一枚の検査調整用光ディスクにある複数の信号記録条件での記録信号から、検査信号として最適な信号状態を選ぶことができ、また選ばれた記録領域のアドレスを情報記録領域に記録することで、その記録領域のアドレスを管理できるため、検査調整用光ディスクの作成が非常に容易に行えるようになる。
【００３７】
また、本発明は上記の方法によって、検査調整用光ディスクが入れ替わって記録領域アドレスが変わっても問題なく検査できるようになる。
【発明を実施するための最良の形態】
【００３８】
以下本発明の一実施の形態について、図１から図４を用いて説明する。
【００３９】
（実施の形態１）
以下，本発明の検査調整用光ディスクに関する請求項1および２を開示した実施の形態1を説明する。図１は本発明の実施の形態1における検査調整用光ディスクの構成図、図２は図１の検査調整用光ディスクの作成手順を示すフローチャート図である。図１の検査調整用光ディスク1は、情報記録領域２、ある記録条件で記録された信号記録領域の第1番目の信号記録領域（Ａ１）３、同じく信号記録領域（Ａ１）とは異なった記録条件で記録された信号記録領域の第2番目である信号記録領域（Ａ２）４、さらに異なった記録条件で記録された信号領域の第ｃ番目である信号記録領域（Ａｃ）５、さらに異なった記録条件で記録された信号領域の第ｎ番目である信号記録領域（Ａｎ）６を有し、信号記録領域３〜６の記録条件はそれぞれ異なっているように構成している。
【００４０】
以上のように構成された検査調整用光ディスクで、図１の情報記録領域２には信号記録領域３〜６の中から選び出された最適記録状態の記録領域のアドレス情報のみ、または最適記録状態の記録領域のアドレスと記録状態情報が記録されている。
【００４１】
次に図２のフローチャート図を用い、図１の検査調整用光ディスクの作成手順を説明する。
【００４２】
本実施の形態１の検査調整用光ディスクを作成するためには
（１）検査調整用ディスクを準備し（Ｓ２１１）、ａ＝１を設定する（Ｓ２１２）。
【００４３】
（２）検討用ディスクに、ある信号記録条件aを設定する（Ｓ２１３）。
【００４４】
（３）アドレス領域ａに信号記録条件ａで記録する（Ｓ２１４）。
【００４５】
（４）信号記録条件を信号記録条件a+1に変更する（Ｓ２１3）。
【００４６】
（５）アドレス領域a+1に信号記録条件a+1で記録する（Ｓ２１４）。
（６）指定ｎ回数まで異なった信号記録条件の変更と異なったアドレス領域に記録を繰り返す（Ｓ２１６〜Ｓ２１５）。
（７）Ｓ２１６でａ＝ｎになったらＳ２１７で再びａ＝１としてアドレス領域ａを再生する（Ｓ２１８）。
（８）再生された信号の特性を評価する（Ｓ２１９）。
（９）評価ＮＧの場合
アドレス領域をa+1に変更して再生評価を繰り返す（Ｓ２２０〜Ｓ２１９）。
（１０）評価OKの場合
情報記録領域にOKアドレス情報を記録する（Ｓ２２１）。
の手順を踏む。
【００４７】
以上のように本実施形態によれば、検査調整用光ディスク上で信号記録条件の検討と最適記録状態の信号作成と検査信号記録領域のアドレス作成をすることが簡単にできることとなる。
【００４８】
また図１に示したように情報記録領域を複数の信号記録領域の内周側に配置する実施形態をとれば、検査調整用光ディスクからの検査アドレスの読み取りと検査アドレスへのピックアップの移行を光ディスクの信号の記録方向（内周から外周）に合わせることができ、ピックアップの移動時間を最短時間にできることになる。
【００４９】
このように本実施形態によれば、検査ディスク上に複数の信号記録条件で記録された記録信号の中から信号記録条件の検討ができ、またその最適信号記録条件の記録領域アドレスを情報記録領域に記録できるので１枚のディスクで信号記録条件の検討と検査調整用光ディスクの作成が終了でき検査調整用光ディスクの作成が非常に容易になる。
【００５０】
また、本実施形態で示したように、情報記録領域を信号記録領域の内周側に配置したことにより，検査調整用光ディスクからの検査アドレスの読み取りと検査アドレスへのピックアップの移行を光ディスクの信号の記録方向（内周から外周）に合わせ最短時間にできることとなる。
【００５１】
（実施の形態２）
次に、本発明の検査調整用光ディスクに関する請求項３を開示した実施の形態２について説明する。図３は本発明の実施の形態２における検査調整用光ディスクの構成図を示す。図３における検査調整用光ディスク１ａで、情報記録領域2、信号記録領域３〜６については図１と同じなので同じ符号をつけて説明を省略する。図１と異なる点は情報記録領域2と同じ内容の第２の情報記録領域７を情報記録領域2とは別の記録領域、ここでは一例として信号記録領域３〜６の外周側に配置したものである。
【００５２】
このような本実施形態によれば情報記録領域２が何らかの理由、たとえば光ディスクの取り扱いにより発生する傷、指紋の付着などで読み取れなかったり壊れたりしても、第２の情報記録領域７を利用することにより検査を実行することができ検査調整用光ディスクの信頼性向上が図れる。
【００５３】
ここでは第２の情報記録領域を信号記録領域の外周側に配置したがもちろん信号記録領域の内周側に配置してもよく、また情報記録領域の数は限定しない。
【００５４】
（実施の形態３）
以下，本発明の検査調整用光ディスクを用いた光ディスク装置の検査調整方法の請求項4を開示した実施の形態３を説明する。図４は本発明の実施の形態３における検査調整方法のフローチャート図である。
【００５５】
光ディスク装置にて実施の形態１、２で説明した検査調整用光ディスクを用いて検査調整する場合を図４を用いて説明する。
（１）検査調整用ディスクを装着する（Ｓ４１１）。
（２）情報記録領域を再生する（Ｓ４１２）。
（３）情報記録領域より検査調整信号記録領域アドレス情報を読み込む（Ｓ４１３）。
（４）検査調整用信号記録領域のアドレスを指定する（Ｓ４１４）。
（５）検査調整用の信号記録領域を再生する（Ｓ４１５）。
（６）検査調整結果を評価し（Ｓ４１６）、OKなら良品（Ｓ４１７）、NGなら不良品と処理する（Ｓ４１８）。
の手順で検査調整される。検査調整用アドレスは検査調整用光ディスク１または１ａの情報記録領域２または７より得られるために、検査調整用光ディスクが何らかの理由で変更されて検査調整用アドレスが変わっても、従来のように光ディスク装置にその変更アドレスを入力する必要がなくなり、光ディスク装置の管理が簡単になる。
【００５６】
このように本実施形態によれば、検査調整用光ディスクの情報記録領域より検査信号記録領域のアドレスを読取ることができるので、光ディスク装置にあらかじめ決められた固定検査アドレスを入力する必要がなく、検査調整用光ディスクの交換が容易に行え、また記録状態情報（例えばジッター値情報）から検査調整用光ディスク一枚ごとの値を得られるため、検査調整用光ディスクごとのジッター規格値を設定でき光ディスク装置の検査精度を高めることができる。
【産業上の利用可能性】
【００５７】
以上のように本発明によれば、検査調整用光ディスクの作成が非常に効率よく行え、また検査調整用光ディスクを取り替えたりして検査調整用光ディスクの検査信号アドレスが変わっても光ディスク装置の検査信号アドレス入力を変更せずにすみ検査調整工程の管理が非常に簡単になるなどの有利な効果が得られる産業上の利用可能性の高いものである。
【図面の簡単な説明】
【００５８】
【図１】本発明の実施の形態１における検査調整用光ディスクの構成図
【図２】図1の検査調整用光ディスクの作成手順を示すフローチャート
【図３】同じく実施の形態２における検査調整用光ディスクの構成図
【図４】同じく実施の形態３における検査調整方法のフローチャート
【図５】従来の例１の検査調整用光ディスクの構成図
【図６】図５の検査調整用光ディスクを作成する手順フローチャート
【図７】従来の例２の検査調整用光ディスクの構成図
【図８】従来の例１の検査調整用光ディスクを用いて光ディスク装置で検査するときのフローチャート
【符号の説明】
【００５９】
１、１ａ    検査調整用光ディスク
２    情報記録領域
３    信号記録領域（Ａ１）
４    信号記録領域（Ａ２）
５    信号記録領域（Ａｃ）
６    信号記録領域（Ａｎ）
７    第２の情報記録領域
【図１】
2006228302.tif 000003
【図２】
2006228302.tif 000004
【図３】
2006228302.tif 000005
【図４】
2006228302.tif 000006
【図５】
2006228302.tif 000007
【図６】
2006228302.tif 000008
【図７】
2006228302.tif 000009
【図８】
2006228302.tif 000010